(57)【要約】【課題】一時的に他の作業を行ったり他の用途に用いるにあたって天板上を片付ける必要がないものとする。【解決手段】水平に保持される上層側の天板３と、該天板３の下方で水平に保持される下層側の天板２とを備えており、上記下層側の天板２上に空間を介して配されて下層側の天板２を覆う上記上層側の天板３は、少なくとも一部が折り畳み自在であるとともに該折り畳みで下層側の天板２を露出開放する。下層側の天板２上で作業を行えば、一時的な作業は上層側の天板３上で行うことができ、この時、下層側の天板２上に広げた機材を片付ける必要がない。【選択図】図１
2014054328.tif 000002
【特許請求の範囲】
【請求項１】
水平に保持される上層側の天板と、該天板の下方で水平に保持される下層側の天板とを備えており、上記下層側の天板上に空間を介して配されて下層側の天板を覆う上記上層側の天板は、少なくとも一部が折り畳み自在であるとともに該折り畳みで下層側の天板を露出開放するものであることを特徴とするワークテーブル。
【請求項２】
上層側の天板の折り畳み自在とされた部分は、上層側の天板の他の部分のところに重ねて配置されるものであることを特徴とする請求項１記載のワークテーブル。
【請求項３】
上層側の天板の折り畳み自在とされた部分は、上層側の天板の他の部分で開閉される収納部内に収納されるものであることを特徴とする請求項１または２記載のワークテーブル。
【請求項４】
上層側の天板は、下層側の天板上に展開したとき、下層側の天板から立ち上がる側壁で少なくとも一部が支持されるものであることを特徴とする請求項１〜３のいずれか１項に記載のワークテーブル。
【請求項５】
上層側の天板は、下層側の天板上に展開したとき、下層側の天板に設置する支持脚で少なくとも一部が支持されるものであることを特徴とする請求項１〜４のいずれか１項に記載のワークテーブル。
【請求項６】
上層側の天板を下層側の天板上に展開したときに上層側の天板で覆われる位置に、電源線又は情報線に接続されたゲート装置が配されていることを特徴とする請求項１〜５のいずれか１項に記載のワークテーブル。
【発明の詳細な説明】
【技術分野】
【０００１】
本発明は、作業用のワークテーブルに関するものである。
【背景技術】
【０００２】
各種作業を天板上で行うワークテーブルでは、ある作業を行っている途中で他の作業を行いたい場合、いったん、天板上を片付けて他の作業を行えるようにし、その作業が終了すれば元の作業のための機材を天板上に広げなくてはならない。
【０００３】
特許文献１には、天板をひっくり返すことができるようにすることで、学習作業用と食事用の面を使い分けられるようにしたものが示されているが、その切り換えにあたっては、依然として天板上の機材を片付ける必要がある。
【先行技術文献】
【特許文献】
【０００４】
【特許文献１】特開２００９−１２５５６２号公報
【発明の概要】
【発明が解決しようとする課題】
【０００５】
本発明はこのような点に鑑みなされたものであって、一時的に他の作業を行ったり他の用途に用いるにあたって天板上を片付ける必要がないワークテーブルを提供することを課題とするものである。
【課題を解決するための手段】
【０００６】
本発明は、水平に保持される上層側の天板と、該天板の下方で水平に保持される下層側の天板とを備えており、上記下層側の天板上に空間を介して配されて下層側の天板を覆う上記上層側の天板は、少なくとも一部が折り畳み自在であるとともに該折り畳みで下層側の天板を露出開放するものであることに特徴を有している。
【０００７】
上層側の天板の折り畳み自在とされた部分は、上層側の天板の他の部分のところに重ねて配置されるものであることが好ましく、特に上層側の天板の他の部分で開閉される収納部内に収納されるものとするとよい。
【０００８】
また、上層側の天板は、下層側の天板上に展開したとき、下層側の天板から立ち上がる側壁で少なくとも一部が支持されるものであったり、下層側の天板に設置する支持脚で少なくとも一部が支持されるものであることが好ましい。
【０００９】
さらに、上層側の天板を下層側の天板上に展開したときに上層側の天板で覆われる位置に、電源線又は情報線に接続されたゲート装置が配されていてもよい。
【発明の効果】
【００１０】
本発明においては、下層側の天板上で作業を行えば、一時的な作業は上層側の天板上で行うことができるとともに、この場合、下層側の天板上に広げた機材を片付ける必要がなく、利便性に富んだものである。
【図面の簡単な説明】
【００１１】
【図１】本発明の実施の形態の一例を示すもので、(a)(b)は共に斜視図である。
【図２】同上の右側面図である。
【図３】同上の正面図である。
【図４】(a)〜(e)は同上の上層側天板の動きを示す断面図である。
【図５】同上の回転蝶番を示す断面図である。
【発明を実施するための形態】
【００１２】
本発明を図示の実施の形態の一例に基づいて説明すると、図１に示すように、このワークテーブル１は共に水平状態で配される上下２つの天板２，３と、これら天板２，３を支える複数の脚部４とからなる。下層側の天板２は、脚部４に固定されている。
【００１３】
上層側の天板３は、下方に位置する天板２との間に所要高さの空間を形成する状態で配設されるもので、図２にも示すように、ここでは三つの片３１，３２，３３で構成されている。片３１と片３２はいわゆる隠し蝶番によって互いに連結されることで折り畳み自在となっており、他の片３３は、天板３における上記折り畳み自在な片３１，３２の収納用の収納部５を覆う蓋として機能する。
【００１４】
上記収納部５は、下層側の天板２から立ち上がる仕切壁６と、天板２の端縁から立ち上がる端壁７と、天板２と、天板３における上記蓋として機能する部分３３とで囲まれた空間であり、この収納部３には、前述のように天板３における折り畳み自在な部分が収納される。
【００１５】
天板３の折り畳み自在な片３１，３２は例えば図６に示す形態の回転蝶番７によって上記仕切壁６上に連結されている。片３３は端壁７上に蝶番によって連結されて上記収納部５の上面開口を開閉自在となっている。
【００１６】
また、天板３における折り畳み自在な片３１，３２は、天板２上に展開した時、図３に示すように、一方の板状の脚（側壁）４の上端縁に設けた段部４１に長手方向一端が載るとともに、長手方向他端の下面側に設けた支持脚３５，３５が天板２上に載ることによって、天板２上に空間を介した状態で支えられる。
【００１７】
そして、上層側の天板３は、図４に示すように、片３３を回動させることで収納部５を開いた状態で、片３１，３２を折り畳むとともに支持脚３５，３５を折り畳み、さらに回転蝶番７を中心に片３１，３２を回動させることで収納部５内に片３１，３２を納め、片３３で収納部５を閉じれば、天板３における片３１，３２は外部からは見えなくなる。
【００１８】
このワークテーブル１を用いるにあたっては、使用時間が大となる作業を天板２上で行い、一時的な使用となる作業（例えば食事などを含む）を天板３上で行う。この場合、天板２上での作業のために、天板２上に資料やノート型パソコン等の各種機材を広げていても、天板３を天板２上に展開してしまえば、天板３上で他の作業を行うことができるために、上記機材を天板２から片付ける必要がなく、しかも天板３上での一時的作業が終了すれば、再度天板３（の片３１，３２）を折り畳んで収納部５に仕舞うことで、直ちに元の作業に戻ることができる。
【００１９】
ワークテーブル１上での作業を支援するためのゲート装置９、たとえば電源線に接続されたコンセント、情報線（電話線やＬＡＮ）に接続されたモジュラージャック等の接続口を備えたものとすれば、さらに利便性がよいものとなる。
【００２０】
なお、上記ゲート装置９は、天板２上を利用する作業で用いることができるようにしておくのが好ましいために、ここでは天板３を折り畳んだ時に露出する板状の脚部４の上部側面に設けているが、天板３上での作業に際しても利用することができるところに設けてもよいのはもちろんである。図示例のワークテーブル１では、例えば仕切壁６の端部にゲート装置９を配置することで、天板２，３間の開放された側面を通じて利用することができる。このほか、天板２にディスプレーを埋め込んだり、非接触給電装置を組み込んだりすることも好ましい。
【００２１】
上層側の天板３の折り畳み構成については、図示例に限定されるものではない。また、ここでは片３１，３２を折り畳んだ状態で収納部５内に収納することができるために、折り畳んだ天板３（片３１，３２）が邪魔になったりすることもなく、且つすっきりとした外観を呈することができるものを示したが、片３１，３２を片３３上に折り畳んだ状態で重ねられるようにしたものであってもよい。なお、ここでの折り畳みは、蝶番で連結されていないものも含むものとする。つまり、片３１，３２が互いに連結されておらずに、個別に収納部５に収納することができるものを含む。
【符号の説明】
【００２２】
１  ワークテーブル
２  天板
３  天板
４  脚部
５  収納部
３１  片
３２  片
３３  片
【図１】
2014054328.tif 000003
【図２】
2014054328.tif 000004
【図３】
2014054328.tif 000005
【図４】
2014054328.tif 000006
【図５】
2014054328.tif 000007